(57)【特許請求の範囲】
【請求項１】
所定の遊技領域が設けられた弾球遊技機の遊技盤において、
前記遊技領域に設けられ、遊技球が入球可能な内部空間を有する飾り部材と、
前記飾り部材の前記内部空間に設けられ、前記内部空間に入球した遊技球が転がり移動可能な第１ステージ部と、
前記内部空間における前記第１ステージ部の内側に設けられて遊技球が転がり移動可能な第２ステージ部とを備え、
前記第１ステージ部は、前記第２ステージ部の周囲を囲む環状に形成され、前記内部空間に入球した遊技球が前記第２ステージ部の周囲を旋回するように前記第１ステージ部を転がり移動可能に構成されるとともに、
前記第１ステージ部の左または右側に形成されて、前記第１ステージ部の左または右側に達した遊技球を前記第２ステージ部へ導くことが可能な導入部と、
前記第１ステージ部の前側に形成されて、前記第１ステージ部の前側に達した遊技球を前記第１ステージ部から前記内部空間の外部へ導くことが可能な第１排出部とを有し、
前記第１ステージ部を転がり移動する遊技球は、前記導入部に導かれて前記第２ステージ部に達するか、前記第１排出部に導かれて前記第１ステージ部から前記内部空間の外部へ排出されるように構成されており、
前記第２ステージ部は、前記第２ステージ部の前側に形成されて、前記第２ステージ部の前側に達した遊技球を前記第１ステージ部の前記第１排出部へ導くことが可能な第２排出部を有し、
前記導入部に導かれて前記第２ステージ部に達した遊技球が前記第２ステージ部を旋回するように転がり移動可能に構成されるとともに、
前記第２ステージ部を転がり移動する遊技球が前記第２排出部に導かれて前記第１ステージ部の前記第１排出部に達し、前記第１ステージ部から前記内部空間の外部へ排出されるように構成されることを特徴とする弾球遊技機の遊技盤。
【請求項２】
前記遊技領域における前記飾り部材の下方に遊技球が入球可能な入賞装置が設けられ、
前記第１排出部に導かれた遊技球は前記第１ステージ部から前記飾り部材の下方へ落下して排出されるように構成されており、
前記第２ステージ部の後側に、前記第２ステージ部の後側に達した遊技球を前方の前記第２排出部へ導くことが可能な溝部が形成され、
前記溝部に導かれて前記第２排出部に達した遊技球は、前記第２排出部に導かれて前記第１ステージ部の前記第１排出部に達し、前記第１ステージ部から前記飾り部材の下方に設けられた前記入賞装置へ向けて落下するように構成されることを特徴とする請求項１に記載の弾球遊技機の遊技盤。
【請求項３】
前記第２排出部が、遊技球が前記第１ステージ部から前記入賞装置へ向けて落下するように前記第１排出部へ遊技球を導く入賞ガイド部と、
遊技球が前記第１ステージ部から前記入賞装置の側方へ向けて落下するように前記第１排出部へ遊技球を導く非入賞ガイド部とからなり、
前記第２排出部に達した遊技球が前記入賞ガイド部もしくは前記非入賞ガイド部のいずれかに選択的に導かれるように構成されており、
前記溝部に導かれて前記第２排出部に達した遊技球は、前記入賞ガイド部へ導かれるように構成されることを特徴とする請求項２に記載の弾球遊技機の遊技盤。
【発明の詳細な説明】
【技術分野】
【０００１】
本発明は、パチンコ機に代表される弾球遊技機の遊技盤に関し、さらに詳しくは、遊技盤に構成される飾り部材の構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、発射装置により遊技領域上部に導いた遊技球を落下させる過程で遊技領域内に設けた入賞具に入賞させる遊技を行うように構成されている。
【０００３】
遊技盤は、ルータ加工等を施した矩形状のベニヤ板に所定の図柄を印刷したセルを貼り付けて形成された化粧板を基板として構成され、化粧板の前面に遊技球を導くレールを取り付けて略円形状の遊技領域が区画形成されている。遊技領域内には、多数の遊技釘、入賞装置等が取り付けられるとともに、略中央部に設けられた開口部の周縁に飾り部材が取り付けられており、この開口部内に遊技展開に応じた図柄を表示させて遊技性を高めるための図柄表示装置が例えば液晶パネル等の表示部を前面に臨ませて配設されている。
【０００４】
飾り部材の中央に前後に開口を有して形成された内部空間には、例えば、内部空間に達した遊技球が転動可能なステージが設けられる（例えば、特許文献１を参照）。ステージは、飾り部材の球取込口からワープ通路を経由して内部空間に達した遊技球を中央球出口と左右球落下部とのいずれかに振り分ける。ステージにおける中央球出口に振り分けられた遊技球は、当該中央球出口から真下の始動入賞装置に向けて落下する。一方、ステージにおける左右球落下部に振り分けられた遊技球は、当該左右球落下部から始動入賞装置よりも左右に外れた位置に向けて落下する。このようにして、遊技球が始動入賞装置に入賞するという期待感を遊技者に抱かせ、遊技性を向上させている。
【特許文献１】特開２００４−１４７９４１号公報
【発明の開示】
【発明が解決しようとする課題】
【０００５】
しかしながら、従来においては、飾り部材のステージに達した遊技球が転がり移動するパターンはあまり多くなく、単調なものになっていた。
【０００６】
本発明は、このような問題に鑑みて成されたものであり、遊技性を向上させた弾球遊技機の遊技盤を提供することを目的とする。
【課題を解決するための手段】
【０００７】
このような目的達成のため、本発明では、所定の遊技領域が設けられた弾球遊技機（例えば、実施形態におけるパチンコ機ＰＭ）の遊技盤において、遊技領域に設けられ、遊技球が入球可能な内部空間を有する飾り部材（例えば、実施形態におけるセンター飾り１００）と、飾り部材の内部空間に設けられ、内部空間に入球した遊技球が転がり移動可能な第１ステージ部と、内部空間における第１ステージ部の内側に設けられて遊技球が転がり移動可能な第２ステージ部とを備えて構成される。
【０００８】
そして、第１ステージ部は、第２ステージ部の周囲を囲む環状に形成され、内部空間に入球した遊技球が第２ステージ部の周囲を旋回するように第１ステージ部を転がり移動可能に構成されるとともに、第１ステージ部の左または右側に形成されて、第１ステージ部の左または右側に達した遊技球を第２ステージ部へ導くことが可能な導入部と、第１ステージ部の前側に形成されて、第１ステージ部の前側に達した遊技球を第１ステージ部から内部空間の外部へ導くことが可能な第１排出部とを有し、第１ステージ部を転がり移動する遊技球は、導入部に導かれて第２ステージ部に達するか、第１排出部に導かれて第１ステージ部から内部空間の外部へ排出されるように構成されており、第２ステージ部は、第２ステージ部の前側に形成されて、第２ステージ部の前側に達した遊技球を第１ステージ部の第１排出部へ導くことが可能な第２排出部を有し、導入部に導かれて第２ステージ部に達した遊技球が第２ステージ部を旋回するように転がり移動可能に構成されるとともに、第２ステージ部を転がり移動する遊技球が第２排出部に導かれて第１ステージ部の第１排出部に達し、第１ステージ部から内部空間の外部へ排出されるように構成されている。
【０００９】
また、上述の発明において、遊技領域における飾り部材の下方に遊技球が入球可能な入賞装置（例えば、実施形態における始動入賞装置１７）が設けられ、第１排出部に導かれた遊技球は第１ステージ部から飾り部材の下方へ落下して排出されるように構成されており、第２ステージ部の後側に、第２ステージ部の後側に達した遊技球を前方の第２排出部へ導くことが可能な溝部が形成され、溝部に導かれて第２排出部に達した遊技球は、第２排出部に導かれて第１ステージ部の第１排出部に達し、第１ステージ部から飾り部材の下方に設けられた入賞装置へ向けて落下するように構成されることが好ましい。
【００１０】
さらに、上述の発明において、第２排出部が、遊技球が第１ステージ部から入賞装置へ向けて落下するように第１排出部へ遊技球を導く入賞ガイド部と、遊技球が第１ステージ部から入賞装置の側方へ向けて落下するように第１排出部へ遊技球を導く非入賞ガイド部とからなり、第２排出部に達した遊技球が入賞ガイド部もしくは非入賞ガイド部のいずれかに選択的に導かれるように構成されており、溝部に導かれて第２排出部に達した遊技球は、入賞ガイド部へ導かれるように構成されることが好ましい。
【発明の効果】
【００１１】
本発明によれば、飾り部材の内部空間に入球した遊技球が第２ステージ部の周囲を旋回するように第１ステージ部を転がり移動可能に構成されるとともに、第１ステージ部の導入部に導かれて第２ステージ部に達した遊技球が第２ステージ部を旋回するように転がり移動可能に構成されるため、飾り部材の内部空間に入球した遊技球の動きに変化を持たせることが可能となり、遊技性を向上させることができる。
【００１２】
また、第２ステージ部の溝部に導かれて第２排出部に達した遊技球は、第２排出部に導かれて第１ステージ部の第１排出部に達し、第１ステージ部から飾り部材の下方に設けられた入賞装置へ向けて落下するように構成されることで、遊技球が第２ステージ部の溝部に達すると入賞装置に入賞するという期待感を遊技者に抱かせることが可能となり、遊技性をより向上させることができる。
【００１３】
さらに、第２ステージ部の第２排出部が、遊技球が第１ステージ部から入賞装置へ向けて落下するように第１排出部へ遊技球を導く入賞ガイド部と、入賞装置の側方へ向けて落下するように遊技球を導く非入賞ガイド部とから構成されることで、第２ステージ部に達した遊技球を入賞装置に入賞させるか否かの抽選手段としての機能を第２排出部に持たせることが可能となり、遊技性をさらに向上させることができる。
【発明を実施するための最良の形態】
【００１４】
以下、本発明の好ましい実施形態について図面を参照しながら説明する。本発明に係る遊技盤を備えた弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭのガラス扉を開放して示す正面図、図２はパチンコ機ＰＭの背面図である。
【００１５】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられたダブル錠と称される施錠装置７を利用して常には外枠１と係合連結された閉止状態に保持される。
【００１６】
前枠２の前面側には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１７】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施形態においては遊技盤係止具８を収容部２ａに具備して前面側から遊技盤１０を取付可能に構成しているが、収容部を背面側に設けて遊技盤を背面側において取付可能な構成としてもよい。
【００１８】
遊技盤１０は、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４，１５が形成される。遊技領域ＰＡの内側には多数本の遊技釘とともに風車１６、始動入賞装置１７や大入賞装置１８等の各種入賞装置、図柄表示装置２０やリール型表示装置２１が取り付けられたセンター飾り１００等の遊技構成部品が取り付けられ、下端部には各入賞装置に入賞することなく遊技領域ＰＡを転動落下した遊技球を回収するためのアウト口１９が設けられる。また、遊技盤１０の背面側には、各入賞装置に入賞した遊技球を案内する経路を備えた球寄せカバー（図示せず）が設けられる。
【００１９】
前枠２の背面側には、図２に示すように、外枠１の内寸サイズよりも幾分小さめの矩形枠状に形成された裏セット盤３０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基づいて遊技球を払い出す球払出装置３４、球払出装置３４から払い出された遊技球を球皿４に導く球払出通路３５等の遊技球の処理機構が設けられている。
【００２０】
また、裏セット盤３０の背面には、制御装置、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００２１】
パチンコ機ＰＭは、ガラス扉３、球皿４、裏セット盤３０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技領域ＰＡに打ち出され、パチンコゲームが展開される。
【００２２】
次に、センター飾り１００について図３および図４を追加参照しながら説明する。ここで、図３はセンター飾り１００の斜視図、図４はセンター飾り１００に構成される第1および第２ステージ部の平面図である。
【００２３】
センター飾り１００は、樹脂材料を用いて射出成形等により一体的に形成された種々の構成部品からなり、遊技領域ＰＡの略中央部に形成された開口部（図示せず）に取り付けられる。センター飾り１００の中央部には、前後に開口した略直方体形の内部空間１０１が形成されており、図１に示すように、この内部空間１０１およびガラス扉３を通じて、センター飾り１００の裏面側に取り付けられた図柄表示装置２０の表示面を視認できるようになっている。
【００２４】
センター飾り１００の左側部には、図３に示すように、遊技領域ＰＡを流下する遊技球が通過可能な球取込口１０２が形成されており、センター飾り１００内のワープ通路１０３に繋がっている。このワープ通路１０３は、センター飾り１００内で球取込口１０２から下方に延びて内部空間１０１へ繋がるように形成されており、球取込口１０２を通過してワープ通路１０３に達した遊技球は、ワープ通路１０３を転がり移動してワープ出口１０４を通過し内部空間１０１に入球するようになっている。
【００２５】
内部空間１０１の左前下部には、右方へ向かうにつれて下方へ傾斜する連絡通路１０５がワープ出口１０４の下方に位置して形成されており、ワープ出口１０４から内部空間１０１に入球した遊技球がこの連絡通路１０５を転がり移動して内部空間１０１の底部に形成された第１ステージ部１１０に達するようになっている。第１ステージ部１１０は、内部空間１０１の底部中央に形成された第２ステージ部１２０の周囲を囲む環状に形成され、内部空間１０１の底部前側において左右へ延びる前通路部１１１と、内部空間１０１の底部右側において前後へ延びる右通路部１１２と、内部空間１０１の底部後側において左右へ延びる後通路部１１３と、内部空間１０１の底部左側において前後へ延びる左通路部１１４とを有して構成される。
【００２６】
前通路部１１１は、左右両端から中央に向けて下方へ傾斜するように形成され、その中央部には、前方へ向かうにつれて下方へ傾斜する第１排出部１１７が形成されている。第１排出部１１７の前方は開放されており、第１排出部１１７の開放部を通過した遊技球は、第１排出部１１７（すなわち、第１ステージ部１１０）からセンター飾り１００（内部空間１０１）の下方へ落下して排出されるようになっている。
【００２７】
右通路部１１２は、前通路部１１１の右端と後通路部１１３の右端とを繋ぐ右半円形に形成され、左方へ向かうにつれて下方へ傾斜するように構成されている。右通路部１１２の左側中央部（前通路部１１１と後通路部１１３との間の部分）には、溝状の右側導入部１１５が右通路部１１２から左方へ（内部空間１０１の底部中心側へ）延びるように形成されており、右側導入部１１５に達した遊技球を第２ステージ部１２０の右側に導くようになっている。
【００２８】
後通路部１１３は、中央から左右両端に向けてなだらかに下方へ傾斜するように形成され、右通路部１１２の後側と左通路部１１４の後側とに繋がっている。
【００２９】
左通路部１１４は、前通路部１１１の左端と後通路部１１３の左端とを繋ぐ左半円形に形成され、右方へ向かうにつれて下方へ傾斜するように構成されている。左通路部１１４の右側中央部（前通路部１１１と後通路部１１３との間の部分）には、溝状の左側導入部１１６が左通路部１１４から右方へ（内部空間１０１の底部中心側へ）延びるように形成されており、左側導入部１１６に達した遊技球を第２ステージ部１２０の左側に導くようになっている。
【００３０】
そして、前通路部１１１、右通路部１１２、後通路部１１３、および左通路部１１４が繋がって、第２ステージ部１２０の周囲を囲む環状に第１ステージ部１１０が形成され、内部空間１０１に入球して連絡通路１０５を転がり落ちた遊技球が第２ステージ部１２０の周囲を旋回するように第１ステージ部１１０を転がり移動可能に構成される。また、第１ステージ部１１０を転がり移動する遊技球は、右側導入部１１５もしくは左側導入部１１６に導かれて第２ステージ部１２０に達するか、第１排出部１１７に導かれて第１ステージ部１１０からセンター飾り１００（内部空間１０１）の下方へ落下して排出されるようになっている。
【００３１】
第２ステージ部１２０は、図４に示すように、内部空間１０１の底部中央における第１ステージ部１１０の内側に形成され、前側に形成される前ステージ部１２１と、仕切り部１２３を介して前ステージ部１２１の後側に形成される後ステージ部１２２と、前ステージ部１２１と後ステージ部１２２とを繋ぐ左右の連絡通路部１２４，１２５とを有して構成される。前ステージ部１２１は、左右へ延びるとともに前方へ向かうにつれて下方へ若干傾斜するように形成される。また、前ステージ部１２１の左右両端部は、左側導入部１１６および右側導入部１１５とそれぞれ繋がっており、左側導入部１１６および右側導入部１１５に導かれた遊技球が前ステージ部１２１に達するようになっている。
【００３２】
前ステージ部１２１の前端部には、前ステージ部１２１の前端部に達した遊技球を第１ステージ部１１０の第１排出部１１７へ導くことが可能な第２排出部１２６が形成される。第２排出部１２６は、入賞ガイド部１２７と、入賞ガイド部１２７の左右にそれぞれ形成された左右の非入賞ガイド部１２８ａ，１２８ｂとから構成され、第２排出部１２６に達した遊技球が入賞ガイド部１２７もしくは左右の非入賞ガイド部１２８ａ，１２８ｂのいずれかに選択的に導かれるように構成される。
【００３３】
入賞ガイド部１２７は、前ステージ部１２１の前端中央部で前後方向へ延びる溝状に形成され、前方へ向かうにつれて下方へ若干傾斜するようになっている。そして、入賞ガイド部１２７は、入賞ガイド部１２７に達した遊技球を第１排出部１１７の中央部に導いて、第１排出部１１７（第１ステージ部１１０）から遊技領域ＰＡの下部におけるセンター飾り１００の下方に設けられた始動入賞装置１７へ向けて、遊技球を落下させるようになっている。
【００３４】
左非入賞ガイド部１２８ａは、入賞ガイド部１２７の左側で前後方向へ延びる溝状に形成され、前方へ向かうにつれて下方へ若干傾斜するようになっている。そして、左非入賞ガイド部１２８ａは、左非入賞ガイド部１２８ａに達した遊技球を第１排出部１１７の左側部分に導いて、第１排出部１１７（第１ステージ部１１０）から始動入賞装置１７の左側方へ向けて遊技球を落下させるようになっている。
【００３５】
右非入賞ガイド部１２８ｂは、入賞ガイド部１２７の右側で前後方向へ延びる溝状に形成され、前方へ向かうにつれて下方へ若干傾斜するようになっている。そして、右非入賞ガイド部１２８ｂは、右非入賞ガイド部１２８ｂに達した遊技球を第１排出部１１７の右側部分に導いて、第１排出部１１７（第１ステージ部１１０）から始動入賞装置１７の右側方へ向けて遊技球を落下させるようになっている。
【００３６】
後ステージ部１２２は、左右へ延びるとともに前方の仕切り部１２３へ向けて下方へ傾斜するように形成され、その中央部には溝部１２９が形成されている。溝部１２９は、後ステージ部１２２の中央部から前方の仕切り部１２３を貫通して前ステージ部１２１まで延びるように形成され、後ステージ部１２２の中央部で略停止した遊技球を第２排出部１２６の入賞ガイド部１２７へ導くようになっている。すなわち、溝部１２９に導かれて第２排出部１２６に達した遊技球は、第２排出部１２６の入賞ガイド部１２７に導かれて第１排出部１１７の中央部に達し、第１排出部１１７（第１ステージ部１１０）から始動入賞装置１７へ向けて落下するようになっている。
【００３７】
左連絡通路部１２４は、前ステージ部１２１の左端と後ステージ部１２２の左端とを繋ぐ左方に湾曲した円弧状に形成される。また、右連絡通路部１２５は、前ステージ部１２１の右端と後ステージ部１２２の右端とを繋ぐ右方に湾曲した円弧状に形成される。
【００３８】
そして、前ステージ部１２１、後ステージ部１２２、および左右の連絡通路部１２４，１２５が繋がって、楕円形の第２ステージ部１２０が形成され、左側導入部１１６もしくは右側導入部１１５に導かれて前ステージ部１２１に達した遊技球が第２ステージ部１２０の周部に沿って旋回するように第２ステージ部１２０を転がり移動可能に構成される。また、第２ステージ部１２０を転がり移動する遊技球は、最終的に第２排出部１２６に導かれて第１ステージ部１１０の第１排出部１１７に達し、前述したように、第１排出部１１７（第１ステージ部１１０）からセンター飾り１００（内部空間１０１）の下方へ落下して排出されるようになっている。
【００３９】
このように構成されるパチンコ機ＰＭにおいて、前述したように、飾り部材１００の内部空間１０１に入球した遊技球が第２ステージ部１２０の周囲を旋回するように第１ステージ部１１０を転がり移動可能に構成されるとともに、第１ステージ部１１０の左右の導入部１１５，１１６に導かれて第２ステージ部１２０に達した遊技球が第２ステージ部１２０を旋回するように転がり移動可能に構成されている。これにより、飾り部材１００の内部空間１０１に入球した遊技球の動きに変化を持たせることが可能となり、遊技性を向上させることができる。
【００４０】
さて、遊技球がセンター飾り１００の球取込口１０２を通過すると、ワープ通路１０３を転がり移動してワープ出口１０４を通過しセンター飾り１００の内部空間１０１に入球する。ワープ出口１０４を通過して内部空間１０１に達した遊技球は、連絡通路１０５を転がり移動して第１ステージ部１１０の前通路部１１１に達する。連絡通路１０５を転がり移動して第１ステージ部１１０の前通路部１１１に達した遊技球は、第２ステージ部１２０の周囲を（上方から見て反時計回りに）旋回するように第１ステージ部１１０を転がり移動し、遊技球の転がり方（遊技球の転がる力）によって、右側導入部１１５もしくは左側導入部１１６に導かれて第２ステージ部１２０に達するか、第１排出部１１７に導かれて第１ステージ部１１０からセンター飾り１００（内部空間１０１）の下方へ落下して排出される。
【００４１】
このとき、例えば、第１ステージ部１１０の前通路部１１１から右通路部１１２もしくは左通路部１１４へ登り切ることができなかった遊技球は、前通路部１１１の中央部へ転がり落ちて第１排出部１１７に達し、第１排出部１１７に導かれて第１ステージ部１１０からセンター飾り１００の下方へ落下する。また例えば、右通路部１１２の中央部近傍で転がる勢いが低下した遊技球は、右通路部１１２の中央部近傍から左方へ転がり落ちて右側導入部１１５に達し、右側導入部１１５に導かれて第２ステージ部１２０の前ステージ部１２１右側に達する。同様に、左通路部１１４の中央部近傍で転がる勢いが低下した遊技球は、左通路部１１４の中央部近傍から右方へ転がり落ちて左側導入部１１６に達し、左側導入部１１６に導かれて第２ステージ部１２０の前ステージ部１２１左側に達する。
【００４２】
ところで、左側導入部１１６に導かれて第２ステージ部１２０の前ステージ部１２１左側に達した遊技球は、第２ステージ部１２０の周部に沿って（上方から見て反時計回りに）旋回するように第２ステージ部１２０を転がり移動し、遊技球の転がり方（遊技球の転がる力）によって、入賞ガイド部１２７もしくは左右の非入賞ガイド部１２８ａ，１２８ｂのいずれかに導かれて第１ステージ部１１０の第１排出部１１７に達し、第１排出部１１７（第１ステージ部１１０）からセンター飾り１００の下方へ落下して排出される。同様に、右側導入部１１５に導かれて第２ステージ部１２０の前ステージ部１２１右側に達した遊技球は、第２ステージ部１２０の周部に沿って（上方から見て時計回りに）旋回するように第２ステージ部１２０を転がり移動し、遊技球の転がり方（遊技球の転がる力）によって、第２排出部１２６における入賞ガイド部１２７もしくは左右の非入賞ガイド部１２８ａ，１２８ｂのいずれかに導かれて第１ステージ部１１０の第１排出部１１７に達し、第１排出部１１７からセンター飾り１００の下方へ落下して排出される。
【００４３】
このとき、入賞ガイド部１２７に達した遊技球は、入賞ガイド部１２７に導かれて第１排出部１１７の中央部に達し、第１排出部１１７の中央部を転がり移動して第１ステージ部１１０から始動入賞装置１７へ向けて落下する。また、左非入賞ガイド部１２８ａに達した遊技球は、左非入賞ガイド部１２８ａに導かれて第１排出部１１７の左側部分に達し、第１排出部１１７の左側部分を転がり移動して第１ステージ部１１０から始動入賞装置１７の左側方へ向けて落下する。さらに、右非入賞ガイド部１２８ｂに達した遊技球は、右非入賞ガイド部１２８ｂに導かれて第１排出部１１７の右側部分に達し、第１排出部１１７の右側部分を転がり移動して第１ステージ部１１０から始動入賞装置１７の右側方へ向けて落下する。
【００４４】
すなわち、入賞ガイド部１２７に導かれる遊技球は始動入賞装置１７にほぼ入賞し、左右の非入賞ガイド部１２８ａ，１２８ｂに導かれる遊技球は始動入賞装置１７にほとんど入賞しない。このように、第２ステージ部１２０に達した遊技球を始動入賞装置１７に入賞させるか否かの抽選手段としての機能を第２排出部１２６に持たせることが可能となり、遊技性を向上させることができる。
【００４５】
また、後ステージ部１２２の中央部で略停止した遊技球は、溝部１２９に導かれて第２排出部１２６の入賞ガイド部１２７に達する。すなわち、溝部１２９に導かれて第２排出部１２６に達した遊技球は、第２排出部１２６の入賞ガイド部１２７に導かれて第１排出部１１７の中央部に達し、第１ステージ部１１０から始動入賞装置１７へ向けて落下する。これにより、遊技球が溝部１２９に達すると始動入賞装置１７に入賞するという期待感を遊技者に抱かせることが可能となり、遊技性を向上させることができる。
【００４６】
以上に説明した本発明の実施形態において、達成される主要な効果を整理すれば、下記のようになる。
【００４７】
第１に、飾り部材１００の内部空間１０１に入球した遊技球が第２ステージ部１２０の周囲を旋回するように第１ステージ部１１０を転がり移動可能に構成されるとともに、第１ステージ部１１０の左右の導入部１１５，１１６に導かれて第２ステージ部１２０に達した遊技球が第２ステージ部１２０を旋回するように転がり移動可能に構成されるため、飾り部材１００の内部空間１０１に入球した遊技球の動きに変化を持たせることが可能となり、遊技性を向上させることができる。
【００４８】
第２に、第２ステージ部１２０の溝部１２９に導かれて第２排出部１２６に達した遊技球は、第２排出部１２６に導かれて第１ステージ部１１０の第１排出部１１７に達し、第１ステージ部１１０から飾り部材１００の下方に設けられた始動入賞装置１７へ向けて落下するように構成されることで、遊技球が第２ステージ部１２０の溝部１２９に達すると始動入賞装置１７に入賞するという期待感を遊技者に抱かせることが可能となり、遊技性をより向上させることができる。
【００４９】
第３に、第２ステージ部１２０の第２排出部１２６が、遊技球が第１ステージ部１１０から始動入賞装置１７へ向けて落下するように第１排出部１１７へ遊技球を導く入賞ガイド部１２７と、始動入賞装置１７の側方へ向けて落下するように遊技球を導く左右の非入賞ガイド部１２８ａ，１２８ｂとから構成されることで、第２ステージ部１２０に達した遊技球を始動入賞装置１７に入賞させるか否かの抽選手段としての機能を第２排出部１２６に持たせることが可能となり、遊技性をさらに向上させることができる。
【００５０】
なお、上述の実施形態において、遊技領域ＰＡにおけるセンター飾り１００の下方に、第１ステージ部１１０（第１排出部１１７）から落下した遊技球が入球可能な始動入賞装置１７が設けられているが、これに限られるものではなく、例えば、いわゆる一般入賞装置が設けられるようにしてもよい。
【００５１】
また、上述の実施形態において、第２ステージ部１２０は、第１ステージ部１１０と別体に形成するようにしてもよく、第１ステージ部１１０と一体に形成するようにしてもよい。
【００５２】
さらに、上述の実施形態において、本発明に係る遊技盤１０が第１種パチンコ遊技機であるパチンコ機ＰＭに設けられているが、これに限られるものではなく、例えば、第２種パチンコ遊技機や第３種パチンコ遊技機、雀球遊技機等の弾球遊技機に設けられてもよい。
【図面の簡単な説明】
【００５３】
【図１】本発明に係る遊技盤を備えたパチンコ機のガラス扉を開放して示す正面図である。
【図２】上記パチンコ機の裏面側を示す背面図である。
【図３】センター飾りの斜視図である。
【図４】第1および第２ステージ部の平面図である。
【符号の説明】
【００５４】
ＰＭ  パチンコ機（弾球遊技機）
ＰＡ  遊技領域
１０  遊技盤
１７  始動入賞装置（入賞装置）
１００  センター飾り（飾り部材）
１０１  内部空間
１１０  第１ステージ部
１１５  右側導入部
１１６  左側導入部
１１７  第１排出部
１２０  第２ステージ部
１２６  第２排出部
１２７  入賞ガイド部
１２８ａ  左非入賞ガイド部
１２８ｂ  右非入賞ガイド部
１２９  溝部
【図１】
0004789142.tif 000002
【図２】
0004789142.tif 000003
【図３】
0004789142.tif 000004
【図４】
0004789142.tif 000005